(57)【要約】      （修正有）【課題】壁などにも簡単に取り付けることができ、異なるサイズのテイシュボックスにも対応できるテイシュボックスホルダーを提供する。【解決手段】テイッシュボックスホルダー１は、短側面の一つを開口４とした略直方体構造を有するテイシュボックスホルダーであって、略直方体構造の上面が、一方の長側面側から延出し、他方の長側面側まで達する開閉可能なシート部材９で形成され、シート部材の先端部１１は、他方の長側面に重なり合う自由端部であり、他方の長側面およびシート部材の先端部の少なくとも一方に、両者を着脱可能に止着する止着手段１３が設けられており、シート部材の略直方体構造の上面に相当する部分に、略直方体構造の長手方向に沿って、略Ｉ字状の切れ込み１５が設けられていることを特徴とする。【選択図】図１
0003190817.tif 000002
【実用新案登録請求の範囲】
【請求項１】
短側面の一つを開口とした略直方体構造を有するテイシュボックスホルダーであって、略直方体構造の上面が、一方の長側面側から延出し、他方の長側面側まで達する開閉可能なシート部材で形成され、前記シート部材の先端部は、他方の長側面に重なり合う自由端部であり、他方の長側面およびシート部材の先端部の少なくとも一方に、両者を着脱可能に止着する止着手段が設けられており、前記シート部材の略直方体構造の上面に相当する部分に、略直方体構造の長手方向に沿って、略Ｉ字状の切れ込みが設けられていることを特徴とするテイシュボックスホルダー。
【請求項２】
前記シート部材は、ポリエステル製シートまたは樹脂コーティング布である請求項１に記載のテイシュボックスホルダー。
【請求項３】
前記止着手段が、面ファスナーである請求項１または２に記載のテイシュボックスホルダー。
【考案の詳細な説明】
【技術分野】
【０００１】
本考案は、テイシュボックスホルダーに関するものである。
【背景技術】
【０００２】
家庭やオフィスにおいて、略直方体の紙製ボックスに収納されたテイシュペーパーが使用されている。テイシュペーパーが、家庭やオフィスで多人数に使用されるときには、ボックスごと適当な場所に置かれてしまって、必要なときに見つからず、探すのに時間を要する場合がある。また、テイシュボックスの外側には、商標や模様などが印刷されているため、体裁があまり良くない。そのため、テイシュボックスの体裁をよくしたり、置き場所を固定するために、テイシュボックスを固定するホルダーが使用されている。
【０００３】
例えば、特許文献１には、テイシュボックスを収容し得る容積を持つ有底箱体と、テイシュボックスのペーパー取出し口に対応する開口を有する蓋体とを備え、前記有底箱体が側壁に扁平枠状の写真類収容部を有し、該写真類収容部に所望の写真類が交換可能に装着されるようになっていることを特徴とするテイッシュボックス収容体が開示されている。
【０００４】
特許文献２には、テイシュペーパーの入った箱を収容するための縦長状の筐本体の正面に縦長状の取り出し穴を設け、筐本体の上面を開口し、筐本体の上縁に折り曲げ部を介して筐本体の延長となる折り曲げ片を設け、折り曲げ片は、筐本体の内側内折り曲げ自在とし、筐本体の底面部は底板を４枚の組み立て片に分割し、組み立て片が重合することにより底面部を形成し、筐本体の上面部の開口部よりテイシュボックスを挿入自在となしたテイシュボックスのホルダーで、以上の構造によりテイシュボックスを一定任意の場所に取り付けを可能にする組み立て式ホルダーが開示されている。
【先行技術文献】
【特許文献】
【０００５】
【特許文献１】実用新案登録第３０２５４９９号公報
【特許文献２】特開２０１０−２５４３１７号公報
【考案の概要】
【考案が解決しようとする課題】
【０００６】
テイシュボックスホルダーとしては、壁に器具を用いて取付けるような大型のホルダーや、縦型や横型のいずれかにテイッュボックスを収納するものがあるが、設置場所が制約されるので、いずれも使い勝手が悪い。また、メーカーやブランドによって、テイシュボックスのサイズが異なる場合があり、様々なサイズのテイシュボックスに対応できない場合がある。
【０００７】
本考案は、上記事情に鑑みてなされたものであり、壁などにも簡単に取り付けることができ、異なるサイズのテイシュボックスにも対応できるテイシュボックスホルダーを提供することを課題とする。
【課題を解決するための手段】
【０００８】
前記課題を解決した本考案のテイシュボックスホルダーは、短側面の一つを開口とした略直方体構造を有するテイシュボックスホルダーであって、略直方体構造の上面が、一方の長側面側から延出し、他方の長側面側まで達する開閉可能なシート部材で形成され、前記シート部材の先端部は、他方の長側面に重なり合う自由端部であり、他方の長側面およびシート部材の先端部の少なくとも一方に、両者を着脱可能に止着する止着手段が設けられており、前記シート部材の略直方体構造の上面に相当する部分に、略直方体構造の長手方向に沿って、略Ｉ字状の切れ込みが設けられていることを特徴とする。
【０００９】
本考案のテイシュボックスホルダーは、前記のように構成されることにより、様々なサイズのテイシュボックスを収納することができる。例えば、略直方体構造の短側面の一つを開口としているので、長さの異なるテイシュボックスを保持することができる。また、本考案のテイシュボックスホルダーは、略直方体構造の上面が、一方の長側面側から延出し、他方の長側面側まで達するシート部材で形成され、シート部材の先端部は、他方の長側面に重なり合う自由端部であり、他方の長側面およびシート部材の少なくとも一方に、両者を着脱可能に止着する止着手段が設けられている。斯かる構成により、高さが異なるテイシュボックスを収納する場合でも、シート部材の先端部と他方の長側面の止着位置をずらすことによって収納することができる。
【考案の効果】
【００１０】
本考案のテイシュボックスホルダーは、サイズの異なるテイシュボックスを収納することができる。本考案のテイシュボックスホルダーは、軽量であり、自在に壁に取り付けて使用することができる。
【図面の簡単な説明】
【００１１】
【図１】本考案のテイシュボックスホルダーの一例を示す斜視図。
【図２】図１のテイシュボックスホルダーの展開図。
【図３】図１のテイシュボックスホルダーのシート部材と長側面の止着を解除した状態を示す斜視図。
【図４】本考案のテイシュボックスホルダーの切り込みの態様を例示する平面図。
【図５】高さの異なるテイシュボックスを収納したときの、シート部材と長側面との止着位置、および、切り込みの位置が変化する状態を模式的に示す説明図。
【図６】本考案のテイシュボックスホルダーの切り込みの別態様を例示する平面図。
【図７】本考案の実施例を説明する展開図。
【考案を実施するための形態】
【００１２】
本考案のテイシュボックスホルダーは、短側面の一つを開口とした略直方体構造を有するテイシュボックスホルダーであって、略直方体構造の上面が、一方の長側面側から延出し、他方の長側面側まで達する開閉可能なシート部材で形成され、前記シート部材の先端部は、他方の長側面に重なり合う自由端部であり、他方の長側面およびシート部材の先端部の少なくとも一方に、両者を着脱可能に止着する止着手段が設けられており、前記シート部材の略直方体構造の上面に相当する部分に、略直方体構造の長手方向に沿って、略Ｉ字状の切れ込みが設けられていることを特徴とする。
【００１３】
以下、本考案を、図面を参照しながら説明するが、本考案は、図面に示した態様に限定されない。図１は、本考案のテイシュボックスホルダー１の一例を示す斜視図である。図２は、図１のテイシュボックスホルダーの展開図である。図３は、図１のテイシュボックスホルダー１のシート部材と長側面との止着を解除した状態を示す説明図である。図中、Ｘ方向は、略直方体構造の短手方向であり、Ｙ方向は、略直方体構造の長手方向であり、Ｚ方向は、略直方体構造の高さ方向である。
【００１４】
本考案のテイシュボックスホルダー１は、短側面の一つを開口とした略直方体構造を有する。直方体は、すべての面が長方形から構成される６面体であり、上面と、下面と、２つの短側面と２つの長側面を有する。短側面とは、下面および上面を構成する長方形の短辺を含む側面である。長側面とは、下面および上面を構成する長方形の長辺を含む側面である。なお、略直方体構造としているのは、２つの対抗する面同士（例えば、長側面と長側面）が、厳密に同一形状ではなく、大きさが多少異なっていても良いことを意味し、外観としてほぼ直方体として認識されるものを含むことを意味する。また、一般に市販されているテイシュボックスは、上下面が最も面積が大きい直方体構造であることから、本考案のテイシュボックスホルダーの略直方体構造においても、上下面を最も面積が大きい面とすることが好ましい。
【００１５】
本考案のテイシュボックスホルダーの略直方体構造の大きさ（内寸）は特に限定されるものではないが、略直方体構造の長さ（内寸）は、２０ｃｍ〜２５ｃｍが好ましく、２３ｃｍ〜２４ｃｍがより好ましく、幅（内寸）が、１０ｃｍ〜１５ｃｍが好ましく、１２ｃｍ〜１３ｃｍがより好ましく、高さ（内寸）が、４ｃｍ〜８ｃｍが好ましく、４．５ｃｍ〜５ｃｍがより好ましい。
【００１６】
本考案のテイシュボックスホルダー１の略直方体構造は、図１に示すように、下面３と２つの長側面５ａ，５ｂと１つの短側面７とを有し、他方の短側面が開口４となっている。一つの短側面を開口４とした略直方体構造を採用することによって、本考案のテイシュボックスホルダー１は、略直方体構造の長手方向の長さよりも長いテイシュボックスを保持することができる。
【００１７】
略直方体構造の上面は、一方の長側面５ａ側から延出し、他方の長側面５ｂ側まで達する開閉可能なシート部材９で形成されている。シート部材９として、長側面５ａとは異なる部材を用いる場合、シート部材９は、長側面５ａに固定されていることが好ましい。また、シート部材９と長側面５ａとを同一の部材から形成して、長側面５ａの上縁５５で折り曲げるようにしてもよい。シート部材９の先端部１１は、他方の長側面５ｂに重なり合う自由端部である。なお、自由端部とは、他の構成部材に永続的に固定されていない端部である。シート部材９の先端部１１を、他方の長側面５ｂに止着させると、短側面７に対抗する短側面を開口４とした略直方体の構造が形成される。シート部材９の先端部１１を他方の長側面５ｂに着脱可能に止着することによって、テイシュボックスを保持することができる。シート部材９の長さは、その先端縁が、長側面５ｂまで達する範囲であればよく、下面３の長辺３ｂを超えない長さであることが好ましく、下面３の長辺３ｂに丁度達する長さがより好ましい。
【００１８】
他方の長側面５ｂおよびシート部材９の少なくとも一方には、両者を着脱可能に止着する止着手段１３が設けられている。前記止着手段１３としては、例えば、面ファスナー、ボタンなどが挙げられる。前記止着手段を設ける態様としては、長側面５ｂの表面のみに止着手段を設ける態様、シート部材９の裏面のみに止着手段を設ける態様、あるいは、長側面５ｂの表面とシート部材９の裏面の両方に止着手段を設ける態様が挙げられる。長側面およびシート部材に止着手段を設ける数は、特に限定されないが、２〜４箇所程度が好ましい。
【００１９】
本考案では、シート部材９の先端部１１と長側面５ｂとの止着位置を、長側面５ｂの高さ方向に連続的または段階的に調節できるようにすることが好ましい。図１〜３に示した態様では、止着手段１３として、テープ状の面ファスナーを用い、テープ状面ファスナーの長手方向が、長側面５ｂの高さ方向に平行になるように張り付けている。斯かる構成を採用することによって、シート部材９の先端部１１と長側面５ｂとの止着位置を連続的に調節することができる。シート部材９の先端部１１と長側面５ｂとの止着位置をずらすことによって、高さの異なるテイッシュボックスを保持することができる。
【００２０】
シート部材としては、特に限定されないが、クラフト紙、ポリエステル製シート、ポリエステルなどの樹脂でコーティングされた硬さがあるフレキシブルな布などが挙げられる。これらのなかでも、可撓性を有するシートが好ましい。特に、箱の形状を美しく保つ観点から、下面３と側面５ａ、５ｂ、７は、布を二重に張り合わせて硬度を増した布で一体的に形成することが好ましい。また、シート部材として、紙や布などを用いることにより、本考案のテイシュボックスホルダーを軽量化できる。本考案のテイシュボックスホルダーを軽量化することによって、両面テープを用いて容易に壁に取り付けすることができる。
【００２１】
本考案では、シート部材９の略直方体構造の上面に相当する部分に、略直方体構造の長手方向に沿って、略Ｉ字状の切れ込み１５が設けられている。斯かる切れ込み１５から、テイシュペーパーを取り出すことができる。
【００２２】
図４は、シート部材９に設けられる切り込み１５の拡大平面図である。シート部材９の略直方体構造の上面の短手方向中央に相当する部分に切り込み１５が設けられている。切り込み１５は、略直方体構造の長手方向に平行なスリット１７と、スリット１７の両端１７a、１７ｂを通り、略直方体構造の短手方向に平行なスリット２１，２３とを有する略Ｉ字状に形成されている。
【００２３】
切り込み１５として、スリット１７に加えて、スリット２１とスリット２３とを設けることにより、テイシュを取り出す開口領域を広くすることができる。すなわち、スリット２１の端点２１ａとスリット２３の端点２３ａとを結ぶ一点鎖線２５と、スリット２１の端点２１ｂとスリット２３の端点２３ｂとを結ぶ一点鎖線２７と、スリット２１と、スリット２３とが囲む長方形の開口領域から、テイシュを取り出すことができる。
【００２４】
図５は、高さの異なるテイシュボックスを収納したときに、シート部材９と長側面５ｂとの止着位置、および、切り込み１５の位置が変化する状態を模式的に示す説明図である。図５（ａ）は、本考案のテイシュボックスホルダーの略直方体構造の高さと、収納するテイシュボックスの高さとがほぼ等しい場合の収納状態を開口４側からみた模式図である。図５（ｂ）は、図５（ａ）の状態の平面図である。略直方体構造の上面のほぼ中心線２９上に切り込み１５が設けられている。
【００２５】
図５（ｃ）は、本考案のテイシュボックスホルダーの略直方体構造の高さよりも高い高さのテイシュボックスを収納した場合の収納状態を開口４側からみた模式図である。シート部材９は、長側面５ａの上縁５５からテイッシュボックス２の側面に沿って一旦上方に立ちあがってから、テイシュボックス２の上面を覆うように折れ曲がる。そのため、図５（ｃ）に示したように、シート部材９と長側面５ｂとの止着位置が上方へと移動し、図５（ｄ）に示したように、切り込み１５の位置が中心線２９上から長側面５ａ側へと移動する。このような場合であっても、テイッシュホルダーの開口領域が大きいために、テイシュペーパーを問題なく取り出すことができる。
【００２６】
シート部材９の中央相当部分に略I字状の切れ込み１５を入れることで高さの違うテイッシュボックスであっても支障なくテイッシュの取り出しができるが、より容易にするために、スリット２１とスリット２３とを結ぶスリット１７（切れ込み１５）は、図４のシート部材９の略直方体構造の上面の短手方向中心より０．５〜１ｃｍ程度、図２及び図５のシート部材９の先端部１１側に寄っていることがより好ましい。また、略Ｉ字状の切れ込み１５のスリット２１、２３の長さは、取り出し容易な範囲であれば特に限定されず、４ｃｍ程度が好ましい。
【００２７】
本考案の略Ｉ字状の切り込みとしては、前記のようにある程度の開口領域を形成できるような略Ｉ字形状であれば特に限定されず、例えば、図６に示したような切り込み態様も含まれる。図６（ａ）の切り込み１５は、略直方体構造の長手方向に平行な直線状のスリット１７と、スリット１７の両端１７ａ、１７ｂから、外側に向かって広がるＶ字状のスリット２１，２３とを有する略Ｉ字状に形成されている。Ｖ字状スリット２１の端点２１ａとＶ字状スリット２３の端点２３ａとを結ぶ一点鎖線２５と、Ｖ字状スリット２１の端点２１ｂとＶ字状スリット２３の端点２３ｂとを結ぶ一点鎖線２７と、Ｖ字状スリット２１と、Ｖ字状スリット２３とが囲む長方形の開口領域から、テイシュを取り出すことができる。
【００２８】
図６（ｂ）の切り込み１５は、略直方体構造の長手方向に沿って設けられた波線状のスリット１７と、スリット１７の両端１７a、１７ｂを通り、略直方体構造の短手方向に平行なスリット２１，２３とを有する略Ｉ字状に形成されている。
【００２９】
スリット２１の端点２１ａとスリット２３の端点２３ａとを結ぶ一点鎖線２５と、スリット２１の端点２１ｂとスリット２３の端点２３ｂとを結ぶ一点鎖線２７と、スリット２１と、スリット２３とが囲む長方形の開口領域から、テイシュを取り出すことができる。
【００３０】
次に、本考案のテイシュボックスホルダーの作製方法について説明する。本考案のテイシュボックスホルダーは、例えば、シート部材を、図２の展開図に示したように切り抜き、組み立てればよい。長側面５ａの端縁５１と短側面７の端縁７１とを接合し、長側面５ｂの端縁５３と、短側面７の端縁７３とを接合する。接合する手段は、特に限定されず、例えば、接着剤、縫製、テープなどを挙げることができる。なお、クラフト紙などを用いる場合には、例えば、図２の端縁５１もしくは端縁７１のいずれか一方、および、端縁５３もしくは端縁７３のいずれか一方に、のりしろ片（図示せず）を設けてもよい。本考案では、シート部材としてポリエステル製シートや樹脂コーティング布を用いて、端縁５１と端縁７１、並びに、端縁５３と端縁７３を縫製してテイシュボックスホルダーを作製することが好ましい。ポリエステル製シートや樹脂コーティング布は、適度の可撓性を有し、折り曲げ加工が容易であるともに、略直方体構造の形状維持性に優れる。また、ポリエステル製シートや樹脂コーティング布を用いることによって、得られるテイシュボックスホルダーを軽量化することができる。
【００３１】
前記では、本発明のテイシュボックスホルダーを一種類の材料から形成する態様を示したが、本考案のテイシュボックスホルダーを構成する材料として、複数の材料を用いて作製することも好ましい。例えば、上面を構成するシート部材９の材料、下面３、短側面７、および、長側面５ａ，５ｂを構成する材料として、異なる材料を用いても良い。下面３、短側面７、長側面５ａ，５ｂを構成する材料には、強度がある材料（例えば、プラスチック材料）を用い、シート部材９の材料として、軟質の布などを採用することも好ましい。
【００３２】
本考案のテイッシュボックスホルダーは、例えば、下面の外側に両面テープを張り付けて、壁に取り付けて利用することができる。また、縦型もしくは横型に自在に設置することができる。
【実施例】
【００３３】
以下、本考案を実施例によって詳細に説明するが、本考案は、下記実施例によって限定されるものではなく、本考案の趣旨を逸脱しない範囲の変更、実施の態様は、いずれも本考案の範囲内に含まれる。
【００３４】
図７に示すように、厚紙を切り抜き、下面３の長辺３ａ，３ｂ、短辺３ｃで折り曲げた。のりしろ片３１に接着剤を塗布して、長側面５ａと短側面７と、長側面５ｂと短側面７とをそれぞれ接合し、長側面５ａ，５ｂと下面３と短側面７とを有し、上面と短側面の一つを開口とした略直方体構造を有する箱を形成した。略直方体構造の寸法（内寸）は、長さ２３．５ｃｍ、幅１２．５ｃｍ、高さ４．５ｃｍとした。この略直方体構造の長側面５ａ、下面３、長側面５ｂの外側に、幅２３．５ｃｍ、長さ３８．５ｃｍの軟質塩化ビニル樹脂（レザー）製の布を、前記布の幅方向が略直方体構造の長手方向になるように貼り合せた。前記軟質塩化ビニル樹脂（レザー）製布の張り合わせていない部分（幅２３．５ｃｍ、長さ１７ｃｍ）は、長側面５ａ側から延出して長側面５ｂ側に達し、略直方体構造の上面を構成するシート部材に相当する。なお、シート部材の略直方体の上面に相当する部分（短手方向中央）には、図４に示すような略Ｉ字状の切り込みを作製した（スリット１７の長さ１７ｃｍ、スリット２１、２３の長さ５ｃｍ）。
【００３５】
長側面５ｂの表面の２か所に幅１ｃｍ、長さ４ｃｍの面ファスナーを設けた。また、シート部材の先端部の裏面の２か所に、長側面５ｂに設けた面ファスナーに係合するように幅１ｃｍ、長さ２ｃｍの面ファスナーを設けて、テイッシュボックスホルダーを作製した。
【産業上の利用可能性】
【００３６】
本考案は、テイシュボックスホルダーとして好適に利用できる。
【符号の説明】
【００３７】
１：テイシュボックスホルダー、２：テイシュボックス、３：下面、３ａ，３ｂ：下面の長辺、３ｃ，３ｄ：下面の短辺、４：開口、５ａ、５ｂ：長側面、７：短側面、９：シート部材、１１：シート部材の先端部、１３：止着手段、１５：切り込み、１７：スリット、２１：スリット、２３：スリット、２９：中心線、５５：長側面５ａの上縁
【図１】
0003190817.tif 000003
【図２】
0003190817.tif 000004
【図３】
0003190817.tif 000005
【図４】
0003190817.tif 000006
【図５】
0003190817.tif 000007
【図６】
0003190817.tif 000008
【図７】
0003190817.tif 000009